(57)【要約】  冷蔵庫は、冷蔵庫本体の後方下部の機械室に配置された送風ファンと、冷蔵庫本体の前方かつ下方に設けられ、滴下する液体を溜める液溜め部を内側に有した足カバーと、冷蔵庫本体に設けられ、機械室と足カバーの内側とに疎通された風路と、を備えた。
2018198223.tif 000002
【特許請求の範囲】
【請求項１】
冷蔵庫本体の後方下部の機械室に配置された送風ファンと、
前記冷蔵庫本体の前方かつ下方に設けられ、滴下する液体を溜める液溜め部を内側に有した足カバーと、
前記冷蔵庫本体に設けられ、前記機械室と前記足カバーの前記内側とに疎通された風路と、
を備えた冷蔵庫。
【請求項２】
前記機械室に配置され、冷媒を圧縮すると共に前記送風ファンに冷却される圧縮機を備え、
前記風路は、前記機械室内の前記送風ファンと前記圧縮機との間に、前記機械室に開口した風路入口部を設けた請求項１に記載の冷蔵庫。
【請求項３】
前記風路入口部の前記圧縮機側にて、前記機械室内に突出した気流分岐部を設けた請求項２に記載の冷蔵庫。
【請求項４】
前記風路は、前記冷蔵庫本体の前方下部における前面部の左右方向の中央部に、前記足カバーの前記内側に対して開口した風路出口部を設け、
前記足カバーは、左右方向両側面部のそれぞれに、排気口を設けた請求項１〜３のいずれか１項に記載の冷蔵庫。
【請求項５】
前記風路は、前記風路入口部と前記風路出口部とを直線状に繋ぐと共に前記直線状の延出方向に対する直交断面を同一形状に形成された請求項４に記載の冷蔵庫。
【請求項６】
前記風路は、前記冷蔵庫本体の下面部を上方に凹ませた空洞部に形成されると共に底部を板状部材で塞がれた請求項１〜５のいずれか１項に記載の冷蔵庫。
【請求項７】
前記足カバーの前記液溜め部を構成する底面に、凹凸部を形成した請求項１〜６のいずれか１項に記載の冷蔵庫。
【請求項８】
前記足カバーは、前記冷蔵庫本体に対して着脱自在である請求項１〜７のいずれか１項に記載の冷蔵庫。
【発明の詳細な説明】
【技術分野】
【０００１】
本発明は、冷蔵庫本体の前方かつ下方に設けられ、滴下する液体を溜める液溜め部を内側に有した足カバーを備えた冷蔵庫に関する。
【背景技術】
【０００２】
従来、冷蔵庫としては、足回り部分にて、収納面と、外周枠と、第１固着面と、第２固着面に設けられた液溜め部と、を備えた技術が知られている（たとえば、特許文献１参照）。特許文献１の冷蔵庫では、収納面は、下方を向き、その反対側の底面にて圧縮機と蒸発配管などの高圧ユニットと蒸発皿とを止着している。外周枠は、足回り部分の外周を囲っている。第１固着面は、外周枠の上部で外箱下部と当接している。第２固着面は、冷蔵庫の扉と外箱に設けられたガスケットとに対向している。液溜め部は、第２固着面の外周部上に設けられている。【０００３】
また従来、冷温庫としては、断熱箱体と、扉と、台足と、液溜め部としての露受皿と、を備えた技術が知られている（たとえば、特許文献２参照）。特許文献２の冷温庫では、扉は、断熱箱体の前面開口部にて開閉自在に設けられている。台足は、断熱箱体の底面に設けられている。露受皿は、台足と断熱箱体との下方に設けられ、断熱箱体から摘下する結露水を受ける。
【先行技術文献】
【特許文献】
【０００４】
【特許文献１】実開平５−２５２７９号公報
【特許文献２】特開２０００−３４２６５９号公報
【発明の概要】
【発明が解決しようとする課題】
【０００５】
特許文献１、２では、液溜め部は、扉の下部とガスケットとに結露が生じた際、あるいは、庫内からの食品あるいは飲み物などの液垂れがあった際に、滴下する液体を溜めている。この液溜め部の液体は、長時間にわたって残留する課題がある。それにより、残留した液体が液溜め部の容量を超えてしまい、床が濡れてしまう場合がある。あるいは、液溜め部に埃が蓄積して汚れる場合がある。【０００６】
本発明は、上記課題を解決するためのものであり、液溜め部に溜まった液体が強制的に素早く蒸発でき、液体が液溜め部の容量を超えない冷蔵庫を提供することを目的とする。
【課題を解決するための手段】
【０００７】
本発明に係る冷蔵庫は、冷蔵庫本体の後方下部の機械室に配置された送風ファンと、前記冷蔵庫本体の前方かつ下方に設けられ、滴下する液体を溜める液溜め部を内側に有した足カバーと、前記冷蔵庫本体に設けられ、前記機械室と前記足カバーの前記内側とに疎通された風路と、を備えたものである。
【発明の効果】
【０００８】
本発明に係る冷蔵庫によれば、機械室と足カバーの内側とに疎通された風路を備えた。このため、機械室に配置された送風ファンの気流を液溜め部を有した足カバーの内側に供給できる。したがって、液溜め部に溜まった液体が強制的に素早く蒸発でき、液体が液溜め部の容量を超えない。
【図面の簡単な説明】
【０００９】
【図１】本発明の実施の形態１に係る冷蔵庫を示す斜視図である。
【図２】本発明の実施の形態１に係る冷蔵庫を示す正面図である。
【図３】本発明の実施の形態１に係る足カバーを取り外した冷蔵庫本体の前方下部を示す正面図である。
【図４】本発明の実施の形態１に係る冷蔵庫本体の後方下部の機械室を後方から見て示す斜視図である。
【図５】本発明の実施の形態１に係る冷蔵庫本体の後方下部の機械室を後方から見て示す背面図である。
【図６】本発明の実施の形態１に係る冷蔵庫本体の前後方向にわたる下部を図５のＺ−Ｚ断面で示す縦断面図である。
【図７】本発明の実施の形態１に係る冷蔵庫本体の風路を後方から見て示す斜視図である。
【図８】本発明の実施の形態１に係る冷蔵庫本体の風路を図７のＷ−Ｗ断面で示す縦断面図である。
【図９】本発明の実施の形態１に係る足カバーを後方から見て示す斜視図である。
【図１０】本発明の実施の形態１に係る足カバーを図９の前後方向にわたるＹ−Ｙ断面で示す縦断面図である。
【図１１】本発明の実施の形態１に係る足カバーを図９の左右方向の中央部分を省略したＸ−Ｘ断面で示す縦断面図である。
【発明を実施するための形態】
【００１０】
以下、図面に基づいて本発明の実施の形態について説明する。なお、各図において、同一の符号を付したものは、同一のまたはこれに相当するものであり、これは明細書の全文において共通している。さらに、明細書全文に示す構成要素の形態は、あくまで例示であってこれらの記載に限定されるものではない。
【００１１】
実施の形態１．
＜冷蔵庫１００の構成＞
図１は、本発明の実施の形態１に係る冷蔵庫１００を示す斜視図である。図２は、本発明の実施の形態１に係る冷蔵庫１００を示す正面図である。図３は、本発明の実施の形態１に係る足カバー２０を取り外した冷蔵庫本体１の前方下部を示す正面図である。図４は、本発明の実施の形態１に係る冷蔵庫本体１の後方下部の機械室１０を後方から見て示す斜視図である。図５は、本発明の実施の形態１に係る冷蔵庫本体１の後方下部の機械室１０を後方から見て示す背面図である。図６は、本発明の実施の形態１に係る冷蔵庫本体１の前後方向にわたる下部を図５のＺ−Ｚ断面で示す縦断面図である。
【００１２】
図１、図２に示すように、冷蔵庫１００は、冷蔵庫本体１と、冷蔵室扉２と、冷凍室扉３と、足カバー２０と、を備えている。
【００１３】
図６に示すように、冷蔵庫本体１は、鋼板製の外箱４と、樹脂製の内箱５と、鋼鉄製の底板６と、背面板７と、を備えている。冷蔵庫本体１は、外箱４と、内箱５、底板６および背面板７などと、の間に設けられた空間部に、発泡断熱材８を充填した断熱箱体を構成している。
【００１４】
図４〜図６に示すように、冷蔵庫本体１は、後方下部に、機械室１０を有している。機械室には、冷媒を圧縮する圧縮機１１と、圧縮機１１を冷却する送風ファン１２と、圧縮機１１に対して冷媒を供給および圧縮された冷媒を送り出す冷媒配管１３と、が配置されている。機械室１０は、通常、機械室カバー１４によって、この機械室１０の間口を塞がれている。
【００１５】
冷蔵庫１００の図示しない冷媒回路では、圧縮機１１から吐出された冷媒が、機械室１０内に設置された図示しない空冷凝縮器に供給される。そして、空冷凝縮器を流通した冷媒は、冷蔵庫本体１の発泡断熱材８内部に設置された図示しない凝縮器を流通する。凝縮器を流通した冷媒は、冷蔵庫１００の前面にて冷蔵室および冷凍室の各貯蔵室周囲に張り巡らされている露付き防止パイプを流通する。露付き防止パイプを流通する冷媒は、凝縮過程により凝縮される。露付き防止パイプを流通した冷媒は、ドライヤを経由した後に図示しない減圧装置に供給される。減圧装置で減圧された冷媒は、図示しない１つの冷却器に供給される。冷却器に供給された冷媒は、冷却器内で蒸発し、図示しない送風ファンにより強制的に内部循環する冷気と熱交換する。冷却器の熱交換で生成された冷気は、冷蔵庫本体１内の各貯蔵室を冷却する。冷却器で熱交換した後の冷媒は、吸入管を経て図示しない減圧装置と熱交換しながら温度上昇し、圧縮機１１に戻る。
【００１６】
図１、図２、図３、図６に示すように、冷蔵室扉２および冷凍室扉３は、冷蔵庫本体１の前方開口部を開閉自在に設けられている。冷蔵室扉２は、冷蔵庫本体１の上部に取り付けられている。冷凍室扉３は、冷蔵室扉２よりも下方にて、冷蔵庫本体１の下部に取り付けられている。
【００１７】
図１に示すように、冷蔵庫本体１の前方下部における左右両端部のそれぞれには、冷蔵庫本体１を支える前足９が設けられている。足カバー２０は、これら２つの前足９を１つの化粧面で隠すように、冷蔵庫本体１の前方かつ下方にて、冷蔵庫本体１に対して着脱自在に設けられている。
【００１８】
それに対し、図６に示すように、冷蔵庫本体１の後方下部には、圧縮機１１を載せる台板１５が設けられている。また、冷蔵庫本体１の後方下部における左右両端部のそれぞれには、冷蔵庫本体１を支える後足１６が設けられている。
【００１９】
＜風路３０の構成＞
図７は、本発明の実施の形態１に係る冷蔵庫本体１の風路３０を後方から見て示す斜視図である。図８は、本発明の実施の形態１に係る冷蔵庫本体１の風路３０を図７のＷ−Ｗ断面で示す縦断面図である。
【００２０】
図３〜図８に示すように、冷蔵庫本体１には、機械室１０と足カバー２０の内側とに疎通された風路３０が形成されている。すなわち、風路３０は、冷蔵庫本体１の後方下部の機械室１０と、冷蔵庫本体１の前方かつ下方の足カバー２０の内側と、に冷蔵庫本体１を突き抜けて形成されている。
【００２１】
図６〜図８に示すように、風路３０は、冷蔵庫本体１の底板６で構成された下面部を上方に凹ませた空洞部に形成される。また、風路３０は、底板６で形成された空洞部の底部を板状部材３１で塞がれている。
【００２２】
図４、図５に示すように、風路３０は、機械室１０内の送風ファン１２と圧縮機１１との間に、機械室１０に開口した風路入口部３０ａを設けている。ここで、図５では、一点鎖線で囲って切り欠いたＡ部がＡ部の外側よりも冷蔵庫本体１の前方側を示している。
【００２３】
図４〜図７に示すように、風路入口部３０ａの圧縮機１１側には、機械室１０内に突出した気流分岐部３１ａが設けられている。気流分岐部３１ａは、送風ファン１２で生成した気流を圧縮機１１側と風路３０側とに分岐させる。気流分岐部３１ａは、立板状であり、風路３０の底板６で形成された空洞部の底部を塞ぐ板状部材３１に一体的に形成されている。なお、図７では、風路入口部３０ａの送風ファン１２側にも、第２気流分岐部３１ｂが設けられている。しかし、第２気流分岐部３１ｂは設けられなくても良い。
【００２４】
図３に示すように、風路３０は、冷蔵庫本体１の前方下部における前面部１ａの左右方向の中央部に、足カバー２０の内側に対して開口した風路出口３０ｂ部を設けている。
【００２５】
図７、図８に示すように、風路３０は、風路入口部３０ａと風路出口部３０ｂとを直線状に繋がれている。風路３０は、風路入口部３０ａと風路出口部３０ｂとを繋いだ直線状の延出方向に対する直交断面を同一形状に形成されている。このため、風路入口部３０ａは、冷蔵庫本体１の左寄りに設けられている。一方、風路出口部３０ｂは、冷蔵庫本体１の中央部に設けられている。このことから、風路３０は、冷蔵庫本体１の後方から前方に向かう延出方向を、冷蔵庫本体１の左寄りから中央部に向かう斜めに形成されている。
【００２６】
＜足カバー２０の構成＞
図９は、本発明の実施の形態１に係る足カバー２０を後方から見て示す斜視図である。図１０は、本発明の実施の形態１に係る足カバー２０を図９の前後方向にわたるＹ−Ｙ断面で示す縦断面図である。図１１は、本発明の実施の形態１に係る足カバー２０を図９の左右方向の中央部分を省略したＸ−Ｘ断面で示す縦断面図である。
【００２７】
図１に示すように、足カバー２０は、冷蔵庫本体１の前方下部における左右両側に設けられた２つの前足９を覆うように前面部１ａに取り付けられる。このため、足カバー２０の左右方向の長さは、冷蔵庫本体１の左右方向の長さと同一である。足カバー２０は、外観面に化粧面部２０ａを有している。
【００２８】
図３、図９に示すように、足カバー２０には、冷蔵庫本体１の前方下部における前面部１ａに形成された２つの嵌合孔１ｂにそれぞれ着脱自在な２つの嵌合爪２１が設けられている。嵌合爪２１は、嵌合孔１ｂの幅よりも差し込み先端の幅が狭く、途中で嵌合孔１ｂの幅よりも広くなる一対の板片から構成されている。
【００２９】
図９〜図１１に示すように、足カバー２０は、滴下する液体を溜める液溜め部２２を内側に有している。液溜め部２２は、四方の側壁部２３、２４、２５、２６と底面部２７とで囲われた空間である。液溜め部２２の上部開口領域は、冷凍室扉３の下辺全体およびガスケット３ａを覆い、かつ、冷蔵庫本体１内から流れ出た食品、飲み物などの液垂れをも受ける範囲に設定されている。
【００３０】
図９〜図１１に示すように、足カバー２０の底面部２７には、前後方向に延びる並列した複数の凸状部２７ａが形成されている。複数の凸状部２７ａは、足カバー２０の液溜め部２２を構成する底面の表面積を増大させている。
【００３１】
図９〜図１１に示すように、足カバー２０は、２つの前足を回避するように、液溜め部２２から左右方向外側のそれぞれに立ち上がる傾斜の側壁部２４、２５を有している。足カバー２０は、２つの側壁部２４、２５の最上位高さのまま左右方向両端まで至る水平面部２８、２９を有している。足カバー２０の水平面部２８、２９には、気流を足カバー２０の左右方向に流通させる溝２８ａ、２９ａが形成されている。
【００３２】
図９〜図１１に示すように、足カバー２０は、化粧面部２０ａにおける左右方向両側面部のそれぞれに、排気口２０ｂを設けている。排気口２０ｂは、溝２８ａ、２９ａから気流を排出するように、溝２８ａ、２９ａの左右方向両端にて開口している。
【００３３】
＜冷蔵庫１００の動作＞
冷蔵庫１００が冷却運転をすることにより、圧縮機１１などの温度が上昇する。それらの温度上昇を抑えるために、送風ファン１２が機械室１０内で回転して気流を発生させる。送風ファン１２が回転することにより生じた気流は、機械室１０内で気流分岐部３１ａによって圧縮機１１側と風路３０側との２つの気流に分岐される。風路３０は、圧縮機１１よりも送風ファン１２側に形成されているため、気流分岐部３１ａにて風路３０に分岐される気流には勢いがある。風路３０に分岐された気流は、図６の図示矢印のように風路３０を勢いよく伝わって冷蔵庫本体１の前方かつ下方に取り付けられた足カバー２０の内側に供給される。
【００３４】
風路３０から足カバー２０の内側に供給された気流は、冷蔵庫本体１の中央部の風路出口部３０ｂから足カバー２０の正面の側壁部２３に当たる。側壁部２３に当たった気流は、足カバー２０の側壁部２３における左右方向の中央部に当たるため、左右方向にほぼ均等に分岐される。そして、分岐した気流は、液溜め部２２に溜まった液体Ｂに当たって蒸発を促す。
【００３５】
液体の蒸発を促した気流は、液溜め部２２を左右方向の両外側に流通し、２つの溝２８ａ、２９ａを流通し、２つの排気口２０ｂから排出される。
【００３６】
ここで、足カバー２０の液溜め部２２に溜まった液体Ｂは、内側から外側に向けて立ち上がり傾斜した側壁部２４、２５の存在により、液溜め部２２に液体が蓄積されても容易に液体がこぼれることは無い。
【００３７】
一方、足カバー２０の液溜め部２２の底面部２７には、複数の凸状部２７ａを設けているので、液溜め部２２の底面部２７の表面積が増大し、溜められた液体と空気との接触が増加することにより蒸発を促せる。
【００３８】
以上のように、冷凍室扉３の下端部およびガスケット３ａでの結露があった際、あるいは、冷蔵庫本体１内からの食品、飲み物などの液垂れがあった際に、結露水あるいは液垂れした液体を足カバー２０で受けて液溜め部２２に溜められる。そして、機械室１０内の送風ファン１２の気流は、風路３０を流通して足カバー２０の内側に供給される。この気流により液溜め部２２に溜まった液体がより早く蒸発させられる。これにより、液溜め部２２の液体は、長時間にわたって残留しない。そして、液溜め部２２の容量を超えて液体が滴下せず、冷蔵庫１００の設置された床が濡れない。また、液溜め部２２に埃が蓄積せず、液溜め部２２が汚れない。
【００３９】
＜実施の形態１の効果＞
実施の形態１によれば、冷蔵庫１００は、冷蔵庫本体１の後方下部の機械室１０に配置された送風ファン１２を備えている。冷蔵庫１００は、冷蔵庫本体１の前方かつ下方に設けられ、滴下する液体を溜める液溜め部２２を内側に有した足カバー２０を備えている。冷蔵庫１００は、冷蔵庫本体１に設けられ、機械室１０と足カバー２０の内側とに疎通された風路３０を備えている。
【００４０】
この構成によれば、機械室１０に配置された送風ファン１２の気流を液溜め部２２を有した足カバー２０の内側に供給できる。したがって、液溜め部２２に溜まった液体が強制的に素早く蒸発でき、液体が液溜め部２２の容量を超えない。これにより、液溜め部２２の液体は、長時間にわたって残留しない。そして、液溜め部２２の容量を超えて液体が滴下せず、冷蔵庫１００の設置された床が濡れない。また、液溜め部２２に埃が蓄積せず、液溜め部２２が汚れない。
【００４１】
実施の形態１によれば、冷蔵庫１００は、機械室１０に配置され、冷媒を圧縮すると共に送風ファン１２に冷却される圧縮機１１を備えている。風路３０は、機械室１０内の送風ファン１２と圧縮機１１との間に、機械室１０に開口した風路入口部３０ａを設けている。
【００４２】
この構成によれば、送風ファン１２と風路入口部３０ａとの距離が近く、送風ファン１２の勢いのある気流が風路３０に流入できる。これにより、液溜め部２２に溜まった液体が勢いのある気流で強制的に素早く蒸発できる。
【００４３】
実施の形態１によれば、冷蔵庫１００は、風路入口部３０ａの圧縮機１１側にて、機械室１０内に突出した気流分岐部３１ａを設けている。
【００４４】
この構成によれば、風路入口部３０ａの圧縮機１１側にて機械室１０内に突出した気流分岐部３１ａが機械室１０内にて送風ファン１２が生成した気流を分岐できる。これにより、気流分岐部３１ａで分岐された気流が風路３０に流入し易くなる。
【００４５】
実施の形態１によれば、風路３０は、冷蔵庫本体１の前方下部における前面部１ａの左右方向の中央部に、足カバー２０の内側に対して開口した風路出口部３０ｂを設けている。足カバー２０は、化粧面部２０ａの左右方向両側面部のそれぞれに、排気口２０ｂを設けている。
【００４６】
この構成によれば、風路３０を流通した気流は、冷蔵庫本体１の前方下部における前面部１ａの左右方向の中央部に開口した風路出口部３０ｂから足カバー２０の内側に流出できる。そして、足カバー２０の内側に流出した気流は、足カバー２０の正面の側壁部２３に衝突する。足カバー２０の正面の側壁部２３に衝突した気流は、足カバー２０の内側にて左右方向にほぼ均等に分岐される。このとき、気流は、液溜め部２２に溜まった液体に当たって液体をより早く蒸発させる。足カバー２０の内側にて左右方向にほぼ均等に分岐された気流は、化粧面部２０ａの左右方向両側面部のそれぞれに設けられた排気口２０ｂから排出される。したがって、液溜め部２２に溜まった液体を強制的に素早く蒸発させた気流が足カバー２０の前面から排気されず、使用者にとって冷蔵庫１００の正面側から足元に排気される気流による不快感が無い。なお、足カバー２０は、排気口２０ｂから排出される気流の向きを冷蔵庫本体１の後方に向かうように形成されても良い。
【００４７】
実施の形態１によれば、風路３０は、風路入口部３０ａと風路出口部３０ｂとを直線状に繋ぐと共に直線状の延出方向に対する直交断面を同一形状に形成されている。
【００４８】
この構成によれば、気流が風路３０で障害無く直線状に流れると共に風路３０を流通する過程で風路３０の容積の変動が無い。これにより、風路３０の流路抵抗が増大せず、かつ、風路３０を流通する気流の勢いが低減され難い。
【００４９】
実施の形態１によれば、風路３０は、冷蔵庫本体１の下面部を上方に凹ませた空洞部に形成されると共に底部を板状部材３１で塞がれている。
【００５０】
この構成によれば、風路３０が冷蔵庫本体１の大きさを増大させずに形成できる。これにより、冷蔵庫１００は、不要な大型化の必要が無い。
【００５１】
実施の形態１によれば、冷蔵庫１００は、足カバー２０の液溜め部２２を構成する底面部２７に、凹凸部としての凸状部２７ａを形成している。
【００５２】
この構成によれば、足カバー２０の液溜め部２２を構成する底面の表面積が増大できる。これにより、液溜め部２２に溜まった液体が強制的に素早く蒸発させられる。ここで、実施の形態１では、凹凸部として前後方向に延びる複数の凸状部２７ａを形成した。しかし、これに限られない。凹凸部は、左右方向あるいは斜め方向などに延びる複数の凸状部でも良いし、複数点在する凸部あるいは凹部などでも良い。
【００５３】
実施の形態１によれば、足カバー２０は、冷蔵庫本体１に対して着脱自在である。
【００５４】
この構成によれば、足カバー２０は、冷蔵庫本体１とは別体で形成され、単独で清掃でき、単独で交換できる。
【符号の説明】
【００５５】
１  冷蔵庫本体、１ａ  前面部、１ｂ  嵌合孔、２  冷蔵室扉、３  冷凍室扉、３ａ  ガスケット、４  外箱、５  内箱、６  底板、７  背面板、８  発泡断熱材、９  前足、１０  機械室、１１  圧縮機、１２  送風ファン、１３  冷媒配管、１４  機械室カバー、１５  台板、１６  後足、２０  足カバー、２０ａ  化粧面部、２０ｂ  排気口、２１  嵌合爪、２２  液溜め部、２３  側壁部、２４  側壁部、２５  側壁部、２６  側壁部、２７  底面部、２７ａ  凸状部、２８  水平面部、２８ａ  溝、２９  水平面部、２９ａ  溝、３０  風路、３０ａ  風路入口部、３０ｂ  風路出口部、３１  板状部材、３１ａ  気流分岐部、３１ｂ  第２気流分岐部、１００  冷蔵庫。
【図１】
2018198223.tif 000003
【図２】
2018198223.tif 000004
【図３】
2018198223.tif 000005
【図４】
2018198223.tif 000006
【図５】
2018198223.tif 000007
【図６】
2018198223.tif 000008
【図７】
2018198223.tif 000009
【図８】
2018198223.tif 000010
【図９】
2018198223.tif 000011
【図１０】
2018198223.tif 000012
【図１１】
2018198223.tif 000013
【国際調査報告】
2018198223.tif 000014
2018198223.tif 000015
2018198223.tif 000016
2018198223.tif 000017